(57)【特許請求の範囲】
【請求項１】
薄板状の基体の下端後方に本体側と軸支される下軸と、下端前方に連結軸を有する風向板が、並列に複数個配置されるとともに、前記連結軸を軸支する軸受部を備えた連結板とからなり、いずれかの前記風向板の下軸を回転軸として、前記連結板を所定の位置に移動させることで、前記連結板で連結された前記風向板が同じ方向に傾斜する風向変更装置において、
前記風向板は、下部前方に延出した延出部を有し、前記下軸の上方から前記延出部に掛けて切り抜いたように形成される収容部を備え、前記連結板は前記収容部に収容され、前記連結軸は前記収容部の上面から下方に突出し、前記下軸の中心と前記連結軸の中心の間のいずれかの位置で前記収容部の上面から下方に突設した突起部を備え、
前記連結板は、前記軸受部の軸孔を中心として前記突起部までの距離を半径とした円弧上に前記突起部を受ける複数個の係合部を設けることを特徴とする風向変更装置。
【請求項２】
前記風向板は、前記突起部の上方に所定の間隔を開けて横孔を設けたことを特徴とする請求項１に記載の風向変更装置。
【請求項３】
前記風向板は、前記延出部の前端で前記連結軸から所定の間隔を開けた前方に、下方へ延出した延出板を備えたことを特徴とする請求項１、２に記載の風向変更装置。
【請求項４】
請求項１乃至３に係る風向変更装置を備えたことを特徴とする空気調和機。
【発明の詳細な説明】
【技術分野】
【０００１】
本発明は、吹出空気の風向を調整する風向変更装置の取付構造、及びそれを備えた空気調和機に関するものである。
【背景技術】
【０００２】
空気調和機の吹出口や吹出グリルに取り付けられ、本体側から吹き出される吹出空気の風向を調整する風向変更装置の従来例として、図１１（ａ）に示す吹出グリル１００がある。吹出グリル１００は、本体ケース１０１内に湾曲可能な複数枚の風向板１０２を配設している。
なお、以下の説明では、吹出グリル１００において、図１１（ａ）で本体ケース１０１の下側が前面、上側が背面、右側が右側面、左側が左側面として説明を進める。
風向板１０２は、下部前方の一端を本体ケース１０１に軸支し、他端を連結板１０３に連結している。連結板１０３の中央には、操作レバー１０４の一端が連結されている。操作レバー１０４は、中央部で回動軸１０５により、本体ケース１０１に軸支されている。連結板１０３と操作レバー１０４とにより、風向板１０２を湾曲させる平行リンクを構成している。
また、操作レバー１０４は、図１１（ｂ）（ｃ）に示すように、本体ケース１０１の前端部に相当する位置の下面側に、先端が円弧状の突起１０６を設けている。本体ケース１０１は、底面の前端部中央に突起１０６の回動軌跡に対応した円弧状の係止部材１０７を固着している。係止部材１０７は、上面が断面三角形状の凹凸部１０８となっている。
さらに、連結板１０３と操作レバー１０４との連結部は、図１１（ｄ）に示すように、操作レバー１０４に設けた孔１０９内に挿通されたリンク軸１１０と操作レバー１０４との間にスプリング１１１が備えられている。そして、同スプリング１１１は操作レバー１０４を下方へ付勢するようになっている。
【０００３】
上記のように構成された吹出グリル１００は、本体ケース１０１から露出した操作レバー１０４の前方端を所定方向に操作すると、平行リンクは回動軸１０５を中心として回動し、連結板１０３を左右方向に移動させ、風向板１０２を所定方向に円弧状に湾曲させ、風向きを左右方向に任意の角度に変更することができるようになっている。
さらに、操作レバー１０４の下面に設けられた突起１０６は、係止部材１０７上の中央位置から左右方向へ凹凸部１０８上をスプリング１１１の操作レバー１０４への付勢力に抗して多少上下動しながら滑らかに移動する。従って、クリック感が得られ、操作感覚が良好となるとともに、突起１０６が係止部材１０７に係止されるので、操作レバー１０４はその位置で保持される。また、操作レバー１０４はスプリング１１１によって下方へ付勢されているので、突起１０６と係止部材１０７とが一層確実に係止される。これにより、吹出空気が風向板に振動を与えることで発生する異音を解消することができる。（例えば、特許文献１参照）
【先行技術文献】
【特許文献】
【０００４】
【特許文献１】実開平１−１２３１５１号公報
【発明の概要】
【発明が解決しようとする課題】
【０００５】
しかしながら、上記した吹出グリルの風向変更装置は、操作レバー１０４やリンク軸１１０およびスプリング１１１を吹出口内に配置することで、吹出口を通過する吹出空気の障害となり、送風性能を低下させてしまう問題があった。また、操作レバー１０４やスプリング１１０の平行リンク用の部品が必要となり、部品点数が増えコストアップとなっている。
【０００６】
本発明の課題は、上記問題を解消し、送風効率に影響を与えず、少ない部品点数で組み立て易い風向変更装置を提供するものである。
【課題を解決するための手段】
【０００７】
上記目的を達成するために、請求項１に係る発明は、薄板状の基体の下端後方に本体側と軸支される下軸と、下端前方に連結軸を有する風向板が、並列に複数個配置されるとともに、前記連結軸を軸支する軸受部を備えた連結板とからなり、いずれかの前記風向板の下軸を回転軸として、前記連結板を所定の位置に移動させることで、前記連結板で連結された前記風向板が同じ方向に傾斜する風向変更装置において、
前記風向板は、下部前方に延出した延出部を有し、前記下軸の上方から前記延出部に掛けて切り抜いたように形成される収容部を備え、前記連結板は前記収容部に収容され、前記連結軸は前記収容部の上面から下方に突出し、前記下軸の中心と前記連結軸の中心の間のいずれかの位置で前記収容部の上面から下方に突設した突起部を備え、
前記連結板は、前記軸受部の軸孔を中心として前記突起部までの距離を半径とした円弧上に前記突起部を受ける複数個の係合部を設けるものである。
【０００８】
請求項２に係る発明は、前記風向板は、前記突起部の上方に所定の間隔を開けて横孔を設けるものである。
【０００９】
請求項３に係る発明は、前記風向板は、前記延出部の前端で前記連結軸から所定の間隔を開けた前方に、下方へ延出した延出板を備えたものである。
【００１１】
請求項５に係る発明は、前記風向変更装置を空気調和機に備えたものである。
【発明の効果】
【００１２】
本発明の風向変更装置は、複数個の風向板と、同風向板を連結する連結板だけの構成で、風向板を同じ方向に傾斜することが可能で、風向板の下端面に突設した突起部と、同突起部を受ける連結板に設けた係合部により、操作時にクリック感が発生して、操作感覚が良好となり、操作に手ごたえを感じることができる。
停止した時は、前記突起部の上方に設けた横孔により風向板が弾性を有することで、突起部が凹部としっかり固定されるため、吹出空気が風向板に振動を与えることで発生する異音を解消することができる。
また、吹出口に左右風向板と連結板以外の余分な部品が配置されないことで、吹出空気の障害とならずに、送風効率を上げることができる。
さらに、部品点数が少ないことで組立が容易であり、空気調和機に備えた時は、従来例のような操作レバーが前面側に露出することがなく、美観に優れたものとなる。
【図面の簡単な説明】
【００１３】
【図１】本発明の風向変更装置を搭載した吹出グリルの上下風向板を開放した状態の斜視図である。
【図２】吹出グリルを壁面に設置した状態の図１のＡ−Ａ断面図である。
【図３】風向変更装置の詳細を示す図２のＸ部拡大図である。
【図４】左右風向板と連結板の組立を示す斜視図である。
【図５】連結板の正面図である。
【図６】連結板の背面図である。
【図７】連結板の部分拡大図である。
【図８】左右風向板と連結板を組み合わせた図１のＢ−Ｂ断面図である。
【図９】図８の左右風向板を傾斜させた状態を示す図である。
【図１０】（ａ）は本発明の第二実施例を示す風向変更装置を搭載した空気調和機の断面図であり、（ｂ）は（ａ）の部分拡大図である。
【図１１】従来例の風向変更装置を示す図であり、（ａ）は横断面図、（ｂ）は突起と係止部材を示す平面図、（ｃ）は（ｂ）のＣ−Ｃ断面図、（ｄ）は（ｂ）のＤ−Ｄ断面図である。
【発明を実施するための形態】
【００１４】
以下、本発明を実施するための形態を、添付図面に基づいた実施例として詳細に説明する。
【実施例１】
【００１５】
本発明による風向変更装置は、空気調和機の吹出口や吹出グリルに取り付けられる。実施例１では図１に示すように吹出グリル１に取り付けられた風向変更装置で説明する。
吹出グリル１は、前面パネル２と、取付枠３と、上下方向に吹出空気の風向を調整する風向変更装置４と、左右方向へ吹出空気の風向を調整する風向変更装置５とからなる。前面パネル２は、前後面が開放された四角い枠状で、同枠内が吹出口となるダクト部２０と、同ダクト部２０の前面側に額縁状に設けられた縁面２１とからなる。
【００１６】
尚、以下の説明では、吹出グリル１において、図１で前面パネル２の縁面２１が配置された方を前面、その反対面を背面とし、前面パネル２を正面視したときの右側が右側面、その反対面を左側面として説明を進める。
【００１７】
吹出グリル１は、図２に示すように、室内の壁面１０の開口部に取付枠３を先に取り付け、同取付枠３と空気調和機から延設された吹出用ダクト１１と接続する。その後に、前面パネル２の縁面２１を室内に露出させながらダクト部２０を取付枠３内に埋め込んで設置する。
風向変更装置４は、前面パネル２のダクト部２０内の前方に設けられ、風向変更装置５は、前面パネル２のダクト部２０内の後方に設けられる。
【００１８】
なお、図示しないが、空気調和機は天井裏に本体を設置し、室内側に設けられた吸込グリルとダクトを介して吸い込まれた空気を屋外に設置した室外機との間で熱交換する。熱交換された空気Ｓは図２に示すように吹出用ダクト１１を通過し、吹出グリル１のダクト部２０内の風向変更装置４と風向変更装置５とで室内に広く届くように調整されて吹き出される。
【００１９】
風向変更装置４は、前面パネル２のダクト部２０の左右側面と、中央の上下風向板軸受部２２に軸支され上下均等に配列された４枚の上下風向板４０と、図示しないが前面パネル２の右側面の外側で取付枠３との間に取付られた駆動モータを組み込んだギアボックスと、前面パネル２のダクト部２０の内側で上下風向板４０の軸をそれぞれ係止して、上下風向板４０を同じ角度に回動させるリンク板とからなり、室内に設けられたリモコンからの指示で駆動モータが駆動して上下風向板４０を任意の位置に回動して固定させる。
【００２０】
風向変更装置５は、図１に示すように、前面パネル２の中央の上下風向板軸受部２２で仕切られたダクト部２０内の右側と左側にそれぞれ１つずつ配置され、並列に配置された６枚の左右風向板６と、左右風向板６同士を連結する連結板７で構成される。
【００２１】
左右風向板６は、スチレン系樹脂製であり、図２、図３および図４に示すように、薄板状の縦長矩形の基体６０と、基体６０の上端に設けられた上軸６１と、上軸と中心を合わせ下端に設けられた下軸６２と、下部前方に延出した延出部６３を有する。上軸６１と下軸６２の軸径は、どちらか一方が若干太く形成されており、左右風向板６を前面パネル２に取付ける際に逆付けを防止する。
【００２２】
左右風向板６は側面視において、下軸６２の上方から延出部６３の手前に掛けて切り抜いたように形成される収容部６４がある。収容部６４の上面は延出部６３から下軸６２までは水平面６４ａであり、下軸６２の位置から背面側に掛けて上方に向けて高くなる傾斜面６４ｂとなる。収容部６４から下軸６３にかけては傾斜面６４ｃを形成している。これは、連結板７を左右風向板６に挿入する際に、連結板７を傾斜面６４ｃから傾斜面６４ｂに沿わしてスライドしながら挿入させるためである。
【００２３】
左右風向板６の下端前方で収容部６４の上面には、下方に向け連結軸６５が突出している。連結軸６５は後述する連結板７の軸受部７０と軸支される。連結軸６５は、略逆円錐型の先端部６５ａと先端部６５ａよりも径が小さい保持部６５ｂを有する。保持部６５ｂは連結板７の軸受部７０と、略同じ径でなることから、連結板７に軸支した後は抜けにくくなっている。
【００２４】
収容部６４の水平面６４ａには、下軸６２の中心と連結軸６５の中心の間のいずれかの位置で、下方に突設し半球形をした突起部６６を備える。突起部６６は後述する連結板７の係合部と係合するものである。
なお、本実施例では、突起部６６を水平面６４ａ上で下軸６２の中心と連結軸６５の中心の間に設けるのは、左右風向板６の奥行を広くしないためであるが、これに限らず、下軸６２の中心と連結軸６５の中心を含む上下方向の面のいずれかの位置にあれば良く、例えば連結軸６５よりも背面側に配置しても良い。
【００２５】
収容部６４を囲む基体６０の周縁部は、正面視で基体６０よりも厚みのある補強部６７となり補強されている。
【００２６】
突起部６６の上方で補強部６７の上には、横孔６８が設けられている。横孔６８は、前方が連結軸６５の手前まで延び、後方は収容部６４と同じ位置までの前後に細長い孔で、上下面は収容部６４の水平面６４ａおよび傾斜面６４ｂと平行である。
【００２７】
また、左右風向板６は、延出部６３の前端で連結軸６５から所定の間隔を開けた前方に、下方へ延出した延出板６９を備えている。
【００２８】
連結板７は、材質に弾性を有するポリプロピレン製であり、図５に示すように、左右端が半円形に形成された細長い板状部材である。連結板７には左右風向板６の連結軸６５を軸支する軸受部７０が左右風向板６の数だけ均等に間隔を空けて設けられている。軸受部７０は、連結軸６５の保持部６５ｂを保持する軸孔７０ａと、連結軸６５を保持する際に軸孔７０ａを拡開し、保持後は閉じる補助孔７０ｂで構成される。軸受部７０の手前側の連結板７の縁部には、軸孔７０ａを中心として、左右風向板６の延出板６９の連結軸側端面までの距離を半径とした円弧上に切り欠いた延出板受部７１が設けられている。また、連結板７において、上面視で軸孔７０ａと延出板受部７１の間の左右風向板６の肉厚は薄くなり、薄肉部７０ｃを形成する。薄肉部７０ｃは弾性変形しやすくなることで、補助孔７０ｂが拡開でき、連結軸６５が軸孔７０ａに容易に挿入できるようになる。
また、連結板７の底面側には、図３および図６で示すように、連結板７を左右風向板６に取り付ける際に、表裏面の逆付けを防止する逆付防止板７２が１つ以上設けられている。
【００２９】
連結板７には、図７に示すように、軸受部７０のいずれか１つに対応し、軸孔７０ａを中心として半円形に広がる固定部７３が設けられている。
固定部７３には、軸受部７０の軸孔７０ａを中心として突起部６６までの距離を半径とした円弧上に、突起部６６を受ける係合部７４が設けられている。係合部７４は半球に凹んだ凹形状となっている。また、係合部７４は凹形状ではなく孔でも良い。係合部７４は、軸孔７０ａを中心として角度ｍごとに複数個設けられている。ここでは、角度ｍは２０度であり、係合部７４は７４ａから７４ｅまでの５つ設けられている。
隣り合う係合部７４の間には、係合部７４よりも深さが浅い溝状のガイド部７５がある。また、中央の係合部７４ｃには背面側に延びる突起部挿入用溝７６がある。さらに、固定部７３の上で係合部７４ａと係合部７４ｅの外側の端には上方に向かい立設した仕切壁７７が設けられている。
【００３０】
次に、風向変更装置５の組立について説明する。
まず、連結板７の固定部７３の背面側の端をいずれかの左右風向板６の傾斜面６４ｃから傾斜面６４ｂ向かってスライドさせるとともに、連結板７の突起部挿入用溝７６に左右風向板６の突起部６６を合せて差し込む。この時、左右風向板６は横孔６８により、補強部６７が弾性を有して若干上方に移動することで、細長い収容部６４が拡開して、固定部７３を挿入することができ、突起部６６が係合部７４ｃと嵌合する。
固定部７３が嵌合すると同時に、連結軸６５も連結板７の軸受部７０に軸支される。軸支する時は、軸孔７０ａと延出板受部７１の間の薄肉部７０ｃが弾性変形することで、補助孔７０ｂが拡開でき、連結軸６５が軸孔７０ａに容易に挿入でき、軸孔７０ａに連結軸６５の保持部７０ｂが保持される。保持された後は閉じ、また、軸受部７０に軸支された連結軸６５は先端部６５ａの肩が軸孔７０ｂよりも径が大きいことで軸受部７０から連結軸６５が抜けることを防ぐ。
次に、連結板７の固定部７３がない軸受部７０に、その他の左右風向板６の連結軸６５を挿入して嵌合する。この時に、左右風向板６の延出部６３を背面側に向けて挿入すると、延出板６９が連結板７に当たることにより、逆付けが防止できる。
また、連結板７には固定部７３からではなく、端から順に、左右風向板６を嵌合しても良いし、最後に固定部７３と左右風向板６を嵌合しても良い。
左右風向板６と連結板７が嵌合された風向変更装置５は、上軸６１を前面パネル２のダクト部の上面に設けた上軸受孔２３に差し込み、次に下軸６２を前面パネル２のダクト部の底面に設けた下軸受孔２４に差し込む。この時上軸６１と下軸６２は若干径が異なることで、左右風向変更装置を上下反転して取り付けることを防ぐことができる。
【００３１】
次に、風向変更装置５の作動について説明する。
左右風向板６は、図８に示すように、吹出グリル１を壁面１０に据え付ける時は前面に対して垂直に取り付けられ、突起部６６は係合部７４ｃの位置に固定されている。この状態で空気調和機を運転すると、吹出空気は前面側に吹き出される。
吹出空気を左側に向ける時は、図９に示すように、いずれかの一つの左右風向板６の延出部６３を摘み、左方向へ移動させる。この時、左右風向板６は上軸６１と下軸６２を中心として回動する。一つの左右風向板６を回動させると、一つの連結軸６５の移動に合わせ連結板７が左方向へ移動する。連結板７で軸支されたその他の左右風向板６も一斉に左方向へ移動することで、左右風向板６が全て左方向へ傾斜する。
この時に、突起部６６は係合部７４ｃからガイド部７５を通過して係合部７４ｄの位置まで移動して固定する。さらに左右風向板を左方向へ移動させると、ガイド部７５を通過して係合部７４ｅの位置まで順次移動して固定される。
突起部６６が移動する際には、左右風向板６の横孔６８により補強部６７が弾性を有することで、突起部６６は若干上方へ移動し、係合部７４ｃから浅いガイド部７５まで乗り上げて、次の係合部７４ｄまで移動することができるとともに、一つ一つ移動する時にクリック感が発生して、操作感覚が良好となり、操作に手ごたえを感じることができる。
【００３２】
左右風向板６を一番端の凹部７４ｅまで移動すると、仕切壁７７に左右風向板６の補強部６７が当接することにより移動を規制される。
【００３３】
上記では、左右風向板６を、左側に傾斜させる場合の説明をしたが、右側に傾斜させる場合も同様である。
【実施例２】
【００３４】
実施例２では図１０に示すように空気調和機の室内機１２に取り付けられた風向変更装置を説明する。なお、実施例１と同じ部分には同じ符号を付与する。
空気調和機１２は、前面パネル２の上面に吸込口１３と下部に吹出口１４を備え、前面パネル内には熱交換器１５と送風ファン１６を配置し、送風ファン１６により吸込口１３から吸い込まれた空気は熱交換器で冷媒と熱交換され通風路１７を通り、通風路１７内に配置された風向変更装置５と風向変更装置４とで、吹出口１４から室内に広く届くように風向を調整されて吹き出される。
【００３５】
風向変更装置５は、複数の左右風向板６と、左右風向板６同士を連結する連結板７で構成される。左右風向板６は、薄板状の基体６０と、基体６０の下端に設けられた下軸６２を有し、実施例１とは異なり下軸６２のみで通風路１７に軸支される。
以下の構成は実施例１と同様である。
【００３６】
以上の実施例１および実施例２の構成の風向変更装置５は、従来例の操作レバーやスプリング等の部品を有さずに、複数個の左右風向板６と同左右風向板６を連結する連結板７だけの構成で、左右風向板６を同じ方向に傾斜することが可能で、左右風向板６の下端面に突設した突起部６６と、同突起部６６を受ける連結板７に設けた係合部７４により、操作時にクリック感が発生して、操作感覚が良好となり、操作に手ごたえを感じることができる。
停止した時は、突起部６６の上方に設けた横孔６８により左右風向板６が弾性を有することで、突起部６６が係合部７４としっかり固定されるため、吹出空気が風向板に振動を与えることで発生する異音を解消することができる。
また、ダクト部３０内に左右風向板６と連結板７以外の余分な部品が配置されないことで、吹出空気の障害とならずに、送風効率を上げることができる。
さらに、部品点数が少ないことで組立が容易であり、空気調和機に備えた時は、従来例のような操作レバーが前面側に露出することがなく、美観にすぐれたものとなる。
【符号の説明】
【００３７】
１  ：吹出グリル
１２：空気調和機
２  ：前面パネル
２０：ダクト部
３  ：取付枠
４  ：上下風向変更装置
５  ：左右風向変更装置
６  ：左右風向板
６３：延出部
６４：収容部
６５：連結軸
６６：突起部
６７：補強部
６８：横孔
７  ：連結板
７０：軸受部
７３：固定部
７４：係合部
７５：ガイド部
【図１】
0005796313.tif 000002
【図２】
0005796313.tif 000003
【図３】
0005796313.tif 000004
【図４】
0005796313.tif 000005
【図５】
0005796313.tif 000006
【図６】
0005796313.tif 000007
【図７】
0005796313.tif 000008
【図８】
0005796313.tif 000009
【図９】
0005796313.tif 000010
【図１０】
0005796313.tif 000011
【図１１】
0005796313.tif 000012